(57)【要約】【課題】使用済みの茶葉が蓋受け棚に引っ掛かることがなく、使用済みの茶葉を急須本体から容易に取り除くことが可能であり、さらに、茶漉しを用いた場合に、その茶漉しの洗浄が容易であるとともに、使用した茶漉しの網目が目詰まりし難くすることが可能な急須を提供する。【解決手段】外部より茶葉及び液体を供給するための開口部５、及び外部に液体を注ぐための注ぎ口４を有する急須本体２と、急須本体２の開口部５を覆う蓋体３とを備えた急須１であって、急須本体２を水平面上に載置した際に蓋体３を水平に受け止める蓋受け表面７と、蓋受け表面７から略垂直又は曲面状に滑らかに下方に延びて開口部５を形成するとともに、蓋受け表面７に対して並行にならずに急須本体２の内部の空間１４を形成する内面９に接続する開口側面８とから構成された蓋受け棚６が、急須本体２の開口部５に形成されている急須１。【選択図】図１
2006304978.tif 000002
【特許請求の範囲】
【請求項１】
外部より茶葉及び液体を供給するための開口部、及び外部に液体を注ぐための注ぎ口を有する急須本体と、前記急須本体の前記開口部を覆う蓋体とを備えた急須であって、
前記急須本体を水平面上に載置した際に前記蓋体を水平に受け止める蓋受け表面と、前記蓋受け表面から略垂直又は曲面状に滑らかに下方に延びて前記開口部を形成するとともに、前記急須本体の内部の空間を形成する内面に接続する開口側面とから構成された蓋受け棚が、前記急須本体の前記開口部に形成されている急須。
【請求項２】
前記急須本体の底側の前記内面から前記蓋受け棚を構成する前記開口側面にまで着脱可能に配設された筒状の茶漉し網をさらに備えた請求項１に記載の急須。
【請求項３】
前記茶漉し網が、帯状の網が筒状に捲回されて、前記急須本体の底側の内面及び前記蓋受け棚の前記開口側面に圧接された状態で着脱可能に配設されたものである請求項２に記載の急須。
【発明の詳細な説明】
【技術分野】
【０００１】
本発明は、急須に関する。さらに詳しくは、急須本体から使用済みの茶葉を容易に取り除くことが可能な急須に関する。
【背景技術】
【０００２】
従来、お茶等を入れるための急須は、図４に示すように、茶葉を供給したり、お湯等の液体を注ぐための開口部２５、及び外部にお茶等の液体を注ぐための注ぎ口２４を有する急須本体２２と、この急須本体２２の開口部２５を覆う蓋体２３とを備えている。通常、従来の急須２１を構成する急須本体２２の開口部２５には、上記の蓋体２３を受け止めるために、開口部２５の中心側に向けて環状に突出した形状の蓋受け棚２６が形成されている。
【０００３】
このような従来の急須２１を使用する際には、急須本体２２に供給した茶葉がお茶と共に注ぎ口２４から排出されるのを防止するために茶漉しが用いられている。この茶漉しとしては、例えば、図４に示すように、平帯状でかつ弾性に富む網体を長手方向に巻回湾曲させて、巻回湾曲させた網体の少なくとも下端を注ぎ口を挟んで急須本体の内周壁面に圧接して保持可能に配設した茶漉し網２７を挙げることができる（例えば、特許文献１）。また、例えば、複数の孔が穿設された平板状又は半球状の部材を、急須本体内部の注ぎ口の手前に配設したものも用いられている。
【０００４】
上述した長手方向に巻回湾曲させた網体からなる茶漉しは、急須本体への装着が容易であることから良好にお茶を入れることができる。
【特許文献１】実公昭６１−２５７１６号公報
【発明の開示】
【発明が解決しようとする課題】
【０００５】
しかしながら、上述した網体からなる茶漉し等を用いてお茶を入れた場合には、使用済みの茶葉が急須本体の内部に広範囲に広がるため、この急須本体から使用済みの茶葉を取り除く際には、急須本体の開口部が下になるように急須本体の上下を逆さにし、急須本体の開口部から使用済みの茶葉を取り除く必要がある。
【０００６】
従来の急須においては、このように急須本体の上下を逆さにして使用済みの茶葉を取り除いた場合、急須本体の開口部に形成された蓋受け棚の裏面（急須本体の内部側に向いた面）に使用済みの茶葉が引っ掛かってしまい、急須本体の内部から使用済みの茶葉を完全に取り除くことが困難であるという問題があった。
【０００７】
また、このような従来の急須においては、使用する茶漉しが洗浄し難く、さらに、この茶漉しの網目が目詰まりし易いという問題もあった。
【０００８】
本発明は、上述した問題に鑑みてなされたものであり、使用済みの茶葉を急須本体から取り除く場合に、急須本体の開口部に形成された蓋受け棚に使用済みの茶葉が引っ掛かることがなく、使用済みの茶葉を容易に取り除くことが可能な急須を提供する。
【課題を解決するための手段】
【０００９】
本発明の急須は、外部より茶葉及び液体を供給するための開口部、及び外部に液体を注ぐための注ぎ口を有する急須本体と、前記急須本体の前記開口部を覆う蓋体とを備えた急須であって、前記急須本体を水平面上に載置した際に前記蓋体を水平に受け止める蓋受け表面と、前記蓋受け表面から略垂直又は曲面状に滑らかに下方に延びて前記開口部を形成するとともに、前記急須本体の内部の空間を形成する内面に接続する開口側面とから構成された蓋受け棚が、前記急須本体の前記開口部に形成されている急須である。
【００１０】
また、本発明の急須においては、急須本体の底側の内面から蓋受け棚を構成する開口側面にまで着脱可能に配設された筒状の茶漉し網をさらに備えたものであることが好ましく、さらに、この茶漉し網が、帯状の網が筒状に捲回されて、急須本体の底側の内面及び蓋受け棚の開口側面に圧接された状態で着脱可能に配設されたものであることが好ましい。
【発明の効果】
【００１１】
本発明の急須は、急須本体の開口部に、急須本体を水平面上に載置した際に蓋体を水平に受け止める蓋受け表面と、この蓋受け表面から略垂直又は曲面状に滑らかに下方に延びて開口部を形成するとともに、急須本体の内部の空間を形成する内面に接続する開口側面とから構成された蓋受け棚が形成されたものであり、急須本体の上下を逆さにして急須本体の開口部から使用済みの茶葉を取り除く場合に、使用済みの茶葉が上述した蓋受け棚に引っ掛かることがなく、使用済みの茶葉を容易に取り除くことができる。このため、急須本体の清掃が容易になり、急須本体の内部を清潔に保つことができる。
【００１２】
また、本発明の急須においては、茶漉しを用いた場合に、その茶漉しの洗浄が容易であるとともに、使用した茶漉しの網目が目詰まりし難くなる。
【００１３】
さらに、本発明の急須は、急須本体の内部の空間に茶葉が広範囲に広がるような茶漉しを用いたとしても、使用済みの茶葉を容易に取り除くことができ、例えば、帯状の網が筒状に捲回された茶漉し網に使用して茶漉しを行ったとしても、急須本体から使用済みの茶葉を容易に取り除くことができる。
【発明を実施するための最良の形態】
【００１４】
以下、本発明の急須の実施の形態を、図面を参照しながら詳細に説明するが、本発明は、これに限定されて解釈されるものではなく、本発明の範囲を逸脱しない限りにおいて、当業者の知識に基づいて、種々の変更、修正、改良を加え得るものである。
【００１５】
図１は、本発明の急須の一の実施の形態を模式的に示す断面図であり、図２は、本発明の急須の一の実施の形態を構成する急須本体の開口部側から見た平面図である。本実施の形態の急須は、お茶等の飲料物を製造するための抽出容器として用いられるものである。
【００１６】
図１及び図２に示すように、本実施の形態の急須は、外部より茶葉及び液体を供給するための開口部５、及び外部に液体を注ぐための注ぎ口４を有する急須本体２と、急須本体２の開口部５を覆う蓋体３とを備えた急須１であって、急須本体２を水平面上に載置した際に蓋体３を水平に受け止める蓋受け表面７と、この蓋受け表面７から略垂直又は曲面状に滑らかに下方に延びて開口部５を形成するとともに、蓋受け表面７に対して並行にならずに急須本体２の内部の空間１４を形成する内面９に接続する開口側面８とから構成された蓋受け棚６が、急須本体２の開口部５に形成されている急須１である。
【００１７】
このように、本実施の形態の急須１は、急須本体２の開口部５の蓋受け棚６が、蓋受け表面７と開口側面８とから構成されたものであり、急須本体２の上下を逆さにして急須本体２の開口部５から使用済みの茶葉を取り除く場合に、使用済みの茶葉が蓋受け棚６に引っ掛かることがないため、急須本体２から使用済みの茶葉を容易に取り除くことができる。このため、急須本体２の清掃が容易になり、急須本体２の内部を清潔に保つことができる。また、本実施の形態の急須１においては、茶漉しを用いた場合に、その茶漉しの洗浄が容易であるとともに、使用した茶漉しの網目が目詰まりし難くなる。
【００１８】
本実施の形態の急須１を構成する急須本体２は、急須本体２の上方に向けて円形状に開口した開口部５を有するとともに、急須本体２の外側面の一部に、外部に液体を注ぐための、例えば、鶴頸状の注ぎ口４を有している。この開口部５と注ぎ口４とは、急須本体２の内部の空間１４によって連通している。
【００１９】
また、本実施の形態の急須１においては、急須本体２の注ぎ口４と略直角方向に急須本体２の外側面から棒状に突出した把手１２を有している。なお、注ぎ口４や把手１２の形状については、上述した形状に限定されることはなく、従来の急須における注ぎ口や把手の形状と同様に構成されていればよい。
【００２０】
上述したように、この急須本体２の開口部５には、急須本体２を水平面上に載置した際に蓋体３を水平に受け止める蓋受け表面７と、この蓋受け表面７から略垂直又は曲面状に滑らかに下方に延びて開口部５を形成するとともに、急須本体２の内部の空間１４を形成する内面９に接続する開口側面８とから構成された蓋受け棚６が形成されている。
【００２１】
このような形状に形成された蓋受け棚６は、従来の急須における蓋受け棚とは異なり、使用済みの茶葉を取り除く際に、蓋受け棚６の、急須本体２の内部の空間１４側を向いた面に茶葉が引っ掛かることがなく、急須本体２から使用済みの茶葉を容易に取り除くことができる。
【００２２】
本実施の形態の急須１を構成する蓋体３は、急須本体２の開口部５を覆い、急須本体２の蓋受け棚６に受け止められる円盤状の蓋部１０と、この蓋部１０を把持するためのつまみ部１１とを有している。この蓋体３は、蓋部１０が蓋受け棚６の蓋受け表面７によって水平に受け止められることにより、急須本体２の開口部５を覆っている。なお、蓋体３の形状については、急須本体２の開口部５を覆い、開口部５の蓋になるものであればよく、上述した構成に限定されることは無い。
【００２３】
また、本実施の形態の急須１においては、図３に示すように、急須本体２の底側の内面９から蓋受け棚６を構成する開口側面８にまで着脱可能に配設された、筒状の茶漉し網１３をさらに備えたものであることが好ましい。このような茶漉し網１３は、急須本体２への装着が容易であるとともに、茶漉し網１３の目詰まり等が少ないため、良好にお茶を入れることができる。ここで、図３は、茶漉し網１３をさらに備えた本実施の形態の急須の他の例を模式的に示す断面図である。
【００２４】
このような茶漉し網１３を用いた際には、上述したように良好にお茶を入れることができるという反面、茶葉が急須本体２の内部の空間１４に広範囲に広がってしまうため、使用済みの茶葉を取り除く際には、急須本体２の開口部５が下を向くように、急須本体２の上下を逆さにして使用済みの茶葉を取り除かなくてはならない。このため、従来の急須では、急須本体の蓋受け棚に使用済みの茶葉が引っ掛かってしまい、急須本体から使用済みの茶葉を取り除くことが非常に困難であった。
【００２５】
本実施の形態の急須１においては、開口部５に形成された蓋受け棚６が、蓋受け表面７と、この蓋受け表面７から略垂直又は曲面状に滑らかに延びた開口側面８とから構成されているために、急須本体２の上下を逆さにして使用済みの茶葉を取り除く際に蓋受け棚６に使用済みの茶葉が引っ掛からず、使用済みの茶葉を容易に取り除くことができる。また、本実施の形態の急須１においては、茶漉し網１３の洗浄が非常に容易であり、さらに、使用した茶漉し網１３の網目が目詰まりし難くなる。
【００２６】
さらに、本実施の形態の急須１において、このような茶漉し網１３をさらに備えたものとする場合には、この茶漉し網１３が、帯状の網が筒状に捲回されて、急須本体２の底面側の内面９及び蓋受け棚６の開口側面８に圧接された状態で着脱可能に配設されたものであることが好ましい。このような茶漉し網１３は、帯状の網が筒状に捲回されたものであるため、急須本体２の内面９に配設する際に、捲回した状態からの復元力を有効に利用し、急須本体２の内部の空間１４に着脱可能に配設することができるとともに、無理なく弾性力を利用でき、よって繰返し急須本体２に着脱したとしても劣化せず、長期に亘って帯状の網の弾性力を維持することが可能な耐久性に優れたものである。
【００２７】
また、本実施の形態の急須１における蓋受け棚６の開口側面８は、蓋受け表面７から略垂直又は曲面状に滑らかに下方に延びて開口部５を形成するとともに、急須本体２の内部の空間１４を形成する内面９に接続する面であるが、この急須本体２の内部の空間１４を形成する内面９に接続する部位においては、使用済みの茶葉を取り除く際の抵抗になるような凹凸がより少なくなるように、滑らかな曲面によって構成されたものであることが好ましい。
【００２８】
本実施の形態の急須１を用いてお茶を入れる際には、例えば、まず、必要に応じて、急須本体２の内部の空間１４に、急須本体２の底側の内面の一の部位からから蓋受け棚６を構成する開口側面８の一の部位にまで、筒状の茶漉し網１３を配設する。次に、急須本体２の開口部５から、急須本体２の内部に茶葉及びお湯を供給する。
【００２９】
茶葉及びお湯を供給した後、所定時間が経過し、急須本体２の内部にて十分に茶葉が開いてお茶ができたと判断した場合には、この急須本体２を注ぎ口４側に向けて傾けて、急須本体２の注ぎ口４から茶碗等にお茶を注ぐ。
【００３０】
このようにしてお茶を入れた後、急須本体２から使用済みの茶葉を廃棄するために取り除く場合には、この急須本体２の上下を逆さにして急須本体２の開口部５から使用済みの茶葉を取り除く。本実施の形態の急須１においては、使用済みの茶葉が蓋受け棚６に引っ掛かることがなく、使用済みの茶葉を急須本体２の開口部５から容易に取り除くことができる。
【産業上の利用可能性】
【００３１】
本発明の急須は、お茶等の飲料物を製造するための抽出容器として用いられるものである。特に、本発明の急須は、使用済みの茶葉が、急須本体の開口部に形成された蓋受け棚に引っ掛かることがなく、急須本体から使用済みの茶葉を容易に取り除くことができる。さらに、本発明の急須は、茶漉しを用いた場合に、その茶漉しの洗浄が容易であるとともに、使用した茶漉しの網目が目詰まりし難くすることができる。
【図面の簡単な説明】
【００３２】
【図１】本発明の急須の一の実施の形態を模式的に示す断面図である。
【図２】本発明の急須の一の実施の形態を構成する急須本体の開口部側から見た平面図である。
【図３】本発明の急須の一の実施の形態の他の例を模式的に示す断面図である。
【図４】従来の急須を模式的に示す断面図である。
【符号の説明】
【００３３】
１…急須、２…急須本体、３…蓋体、４…注ぎ口、５…開口部、６…蓋受け棚、７…蓋受け表面、８…開口側面、９…内面、１０…蓋部、１１…つまみ部、１２…把手、１３…茶漉し網、１４…内部の空間、２１…急須、２２…急須本体、２３…蓋体、２４…注ぎ口、２５…開口部、２６…蓋受け棚、２７…茶漉し網。
【図１】
2006304978.tif 000003
【図２】
2006304978.tif 000004
【図３】
2006304978.tif 000005
【図４】
2006304978.tif 000006